(57)【要約】      （修正有）【課題】振動によってディスク駆動装置が損傷を受けることを防ぐ電子装置を提供する。【解決手段】電子装置は、ハウジングと、ハウジングに固定され、且つディスク駆動装置を収容するための収容部品と、収容部品に固定される収容部品のバックプレーンと、ディスク駆動装置を収容部品のバックプレーンにフレキシブルに接続するための接続部品と、を備える。【選択図】図１
0003158661.tif 000002
【実用新案登録請求の範囲】
【請求項１】
ハウジングと、
前記ハウジングに固定され、且つディスク駆動装置を収容するための収容部品と、
前記収容部品に固定される収容部品のバックプレーンと、
前記ディスク駆動装置を収容部品のバックプレーンに柔軟性接続するための接続部品と、
を備えることを特徴とする電子装置。
【請求項２】
前記収容部品に前記ディスク駆動装置が収容され、
前記ディスク駆動装置には、第一コネクタが設置され、
前記収容部品のバックプレーンの片側には、第二コネクタが設置され、
前記接続部品は、それぞれ前記ディスク駆動装置の第一コネクタ及び前記収容部品のバックプレーンの第二コネクタに接続される第三コネクタ及び第四コネクタと、前記第三コネクタ及び第四コネクタを連結するケーブルと、を備えることを特徴とする請求項１に記載の電子装置。
【請求項３】
前記ケーブルは、柔軟性ケーブルであることを特徴とする請求項２に記載の電子装置。
【請求項４】
前記収容部品に前記ディスク駆動装置が収容され、
前記ディスク駆動装置と前記収容部品との間には、前記ディスク駆動装置が作動する時に生じる振動を吸収できる振動吸収部品が設置されていることを特徴とする請求項１に記載の電子装置。
【請求項５】
前記ハウジングの内部には、前記収容部品のバックプレーンに平行であるシステムのバックプレーンが設置されていることを特徴とする請求項１に記載の電子装置。
【請求項６】
前記システムのバックプレーンには、第五コネクタが設置され、前記収容部品のバックプレーンは、前記システムのバックプレーンの第五コネクタに接続される第六コネクタを備えることを特徴とする請求項５に記載の電子装置。
【請求項７】
前記ハウジングの内部に主板が固定され、前記システムのバックプレーンは、前記主板に挿入されて前記主板に電気接続されることを特徴とする請求項５に記載の電子装置。
【考案の詳細な説明】
【技術分野】
【０００１】
本考案は、電子装置に関し、特に振動によってディスク駆動装置が損傷を受けることを防ぐ電子装置に関するものである。
【背景技術】
【０００２】
ホットプラグ(Ｈｏｔ  Ｐｌｕｇ)機能を有するコンピュータシステムは、ハードディスク及び主板に電気接続されたバックプレーンを備える。前記ハードディスクには、第一コネクタが設置されており、前記バックプレーンには、前記第一コネクタに対応する第二コネクタが設置されている。前記第一コネクタを前記第二コネクタに直接に挿入して使用する。このように前記ハードディスクは前記バックプレーンに硬性接続されるので、前記ハードディスクが作動する時に発生する振動によって、前記ハードディスクは損傷を受け易い。
【考案の概要】
【考案が解決しようとする課題】
【０００３】
以上の問題点に鑑みて、本考案は、振動によってディスク駆動装置が損傷を受けることを防ぐ電子装置を提供することを目的とする。
【課題を解決するための手段】
【０００４】
前記問題を解決するために、本考案に係る電子装置は、ハウジングと、前記ハウジングに固定される収容部品と、前記収容部品に収容されるディスク駆動装置と、前記収容部品に固定される収容部品のバックプレーンと、前記ディスク駆動装置を収容部品のバックプレーンに柔軟性接続するための接続部品と、を備える。
【考案の効果】
【０００５】
本考案に係る電子装置において、ディスク駆動装置は、柔軟性ケーブルを有する接続部品によって収容部品のバックプレーンに柔軟性接続されるので、前記ディスク駆動装置の作動する時に生じる振動が前記収容部品のバックプレーンに伝達されることがなく、前記振動によって前記ディスク駆動装置が損傷を受けることを防ぐ。
【図面の簡単な説明】
【０００６】
【図１】本考案に係る電子装置の俯瞰断面図である。
【図２】本考案に係る電子装置の装着過程を示す図である。
【図３】本考案に係る電子装置の側断面図である。
【考案を実施するための形態】
【０００７】
以下、図面に基づいて、本考案の実施例に係る電子装置について詳細に説明する。
【０００８】
図１及び図３に示すように、本考案に係る電子装置は、ハウジング１０と、ブラケット３０と、収容部品４０と、ディスク駆動装置５０と、収容部品のバックプレーン６０と、接続部品７０と、を備える。
【０００９】
前記ハウジング１０は、主板１１及びシステムのバックプレーン１２を固定する。前記主板１１はねじのような固定素子（図示せず）によって前記ハウジング１０の内部に固定される。前記システムのバックプレーン１２は回路板であって、前記主板１１に挿入されて前記主板１１に電気接続され、且つコネクタ１２２を備える。
【００１０】
前記ブラケット３０は、前記ハウジング１０の内部の前記システムのバックプレーン１２の片側に装着される。
【００１１】
前記収容部品４０は、前記ブラケット３０の内部に装着され、前板４１と、頂板４２と、底板４４と、２つの側板４６、４８と、後板４９と、を備える。前記頂板４２、底板４４及び２つの側板４６、４８は、前記前板４１及び前記後板４９に直交し、前記前板４１と前記後板４９は、互いに平行である。前記前板４１、前記頂板４２、前記底板４４、前記２つの側板４６、４８及び前記後板４９が囲んで１つの収容空間を形成する。
【００１２】
前記ディスク駆動装置５０は、前壁５１と、頂壁５２と、底壁５４と、２つの側壁５６、５８と、後壁５９と、を備える。前記頂壁５２、底壁５４及び２つの側壁５６、５８は、前記前壁５１及び前記後壁５９に直交し、前記前壁５１と後壁５９は、互いに平行である。前記後壁５９には、コネクタ５９２が設置されている。
【００１３】
前記収容部品のバックプレーン６０は、回路板であって、前記収容部品４０の後板４９に固定される。前記収容部品のバックプレーン６０の両側面には、それぞれコネクタ６２、６４が設置されている。
【００１４】
前記接続部品７０は、ケーブル７２及び前記ケーブル７２の両端に固定されている２つのコネクタ７４、７６を備える。本実施例において、前記ケーブル７２は、柔軟性ケーブルである。
【００１５】
図１乃至図３を参照すると、前記ディスク駆動装置５０を前記ハウジング１０の内部に装着する前に、先ず前記ディスク駆動装置５０を前記収容部品４０の収容空間内に装着してから、前記ディスク駆動装置５０が作動する時に生じる振動を吸収できる複数の振動吸収部品をそれぞれ前記前板４１と前記前壁５１との間、前記頂板４２と前記頂壁５２との間、前記２つの側板４６、４８と前記２つの側壁５６、５８との間及び前記後板４９と前記後壁５９との間に設置する。前記収容部品のバックプレーン６０をねじのような固定部品（表記せず）で前記収容部品４０の後板４９の後側に固定する。前記接続部品７０のコネクタ７４を前記ディスク駆動装置５０の後壁５９のコネクタ５９２に接続し、前記接続部品７０のコネクタ７６を前記収容部品のバックプレーン６０のコネクタ６２に接続して、前記収容部品のバックプレーン６０と前記ディスク駆動装置５０とを電気接続させる。
【００１６】
前記ディスク駆動装置５０を前記ハウジング１０の内部に固定する時、一体化された前記収容部品４０及び前記ディスク駆動装置５０を前記システムのバックプレーン１２に直交する方向（図２に示す矢の方向である）に沿って前記収容部品のバックプレーン６０のコネクタ６４が前記システムのバックプレーン１２のコネクタ１２２に挿入される時まで前記ブラケット３０の内部に押し入れる。これによって、前記収容部品のバックプレーン６０と前記システムのバックプレーン１２とは電気接続される。最後、ねじのような固定部品（図示せず）で前記収容部品４０を前記ブラケット３０に固定する。
【００１７】
前記ディスク駆動装置５０が前記ハウジング１０の内部に固定されると、前記収容部品のバックプレーン６０は、前記システムのバックプレーン１２に平行であるが、前記主板１１には垂直である。
【００１８】
前記ディスク駆動装置５０が作動する時に生じる振動は、前記振動吸収部品８０によって吸収されるので、前記振動によって前記ディスク駆動装置５０の内部の電子素子が損傷を受けることを防ぐことができる。なお、前記収容部品のバックプレーン６０は、前記柔軟性ケーブル７２を有する接続部品７０によって前記ディスク駆動装置５０に柔軟性接続されるとともに、前記コネクタ６４、１２２によって前記システムのバックプレーン１２に硬性接続されるので、前記記ディスク駆動装置５０が作動する時に生じる振動は、前記接続部品７０によって前記収容部品のバックプレーン６０に伝達されない。前記収容部品のバックプレーン６０が前記ディスク駆動装置５０と一緒に振動しないので、前記振動が前記システムのバックプレーン１２に伝達されることがなく、振動によって前記ディスク駆動装置５０が損傷を受けることを防ぐ。また、前記収容部品４０と前記ディスク駆動装置５０との間の前記振動吸収部材８０によって、前記ディスク駆動装置５０が作動する時に生じる振動が吸収されるので、振動によって前記ディスク駆動装置５０が損傷を受けることを防ぐ。
【００１９】
以上、本考案の好適な実施例について詳細に説明したが、本考案は前記実施例に限定されるものではなく、本考案の範囲内で種々の変形又は修正が可能であり、該変形又は修正も又、本考案の技術特徴の範囲内に含まれるものである。
【符号の説明】
【００２０】
１０      ハウジング
１１      固定主板
１２      システムのバックプレーン
３０      ブラケット
４０      収容部品
４１      前板
４２      頂板
４４      底板
４６      側板
４８      側板
４９      後板
５０      ディスク駆動装置
５１      前壁
５２      頂壁
５４      底壁
５６      側壁
５８      側壁
５９      後壁
６０      収容部品のバックプレーン
７０      接続部品
７２      ケーブル
８０      振動吸収部品
５９２，６２，７４，７６，１２２，６４      コネクタ
【図１】
0003158661.tif 000003
【図２】
0003158661.tif 000004
【図３】
0003158661.tif 000005
【手続補正書】
【提出日】平成22年2月9日(2010.2.9)
【手続補正１】
【補正対象書類名】実用新案登録請求の範囲
【補正対象項目名】請求項１
【補正方法】変更
【補正の内容】
【請求項１】
ハウジングと、
前記ハウジングに固定され、且つディスク駆動装置を収容するための収容部品と、
前記収容部品に固定される収容部品のバックプレーンと、
前記ディスク駆動装置を収容部品のバックプレーンにフレキシブルに接続するための接続部品と、
を備えることを特徴とする電子装置。 
【手続補正２】
【補正対象書類名】明細書
【補正対象項目名】０００４
【補正方法】変更
【補正の内容】
【０００４】
前記問題を解決するために、本考案に係る電子装置は、ハウジングと、前記ハウジングに固定される収容部品と、前記収容部品に収容されるディスク駆動装置と、前記収容部品に固定される収容部品のバックプレーンと、前記ディスク駆動装置を収容部品のバックプレーンにフレキシブルに接続（Ｆｌｅｘｉｂｌｅ  Ｃｏｎｎｅｃｔｉｎｇ）するための接続部品と、を備える。
【手続補正３】
【補正対象書類名】明細書
【補正対象項目名】０００５
【補正方法】変更
【補正の内容】
【０００５】
本考案に係る電子装置において、ディスク駆動装置は、柔軟性ケーブルを有する接続部品によって収容部品のバックプレーンにフレキシブルに接続されるので、前記ディスク駆動装置の作動する時に生じる振動が前記収容部品のバックプレーンに伝達されることがなく、前記振動によって前記ディスク駆動装置が損傷を受けることを防ぐ。
【手続補正４】
【補正対象書類名】明細書
【補正対象項目名】００１８
【補正方法】変更
【補正の内容】
【００１８】
前記ディスク駆動装置５０が作動する時に生じる振動は、前記振動吸収部品８０によって吸収されるので、前記振動によって前記ディスク駆動装置５０の内部の電子素子が損傷を受けることを防ぐことができる。なお、前記収容部品のバックプレーン６０は、前記柔軟性ケーブル７２を有する接続部品７０によって前記ディスク駆動装置５０にフレキシブルに接続されるとともに、前記コネクタ６４、１２２によって前記システムのバックプレーン１２に硬性接続されるので、前記記ディスク駆動装置５０が作動する時に生じる振動は、前記接続部品７０によって前記収容部品のバックプレーン６０に伝達されない。前記収容部品のバックプレーン６０が前記ディスク駆動装置５０と一緒に振動しないので、前記振動が前記システムのバックプレーン１２に伝達されることがなく、振動によって前記ディスク駆動装置５０が損傷を受けることを防ぐ。また、前記収容部品４０と前記ディスク駆動装置５０との間の前記振動吸収部材８０によって、前記ディスク駆動装置５０が作動する時に生じる振動が吸収されるので、振動によって前記ディスク駆動装置５０が損傷を受けることを防ぐ。